(57)【要約】【課題】簡単な構造で安価に製造できるとともに、保守や点検を容易に行うことが可能な納骨室換気装置を提供する。【解決手段】納骨室換気装置は、略円筒状をなす取付具１０と，取付具１０の内部に開口部１０ｂの側から挿入配置されるファン１２及び，このファン１２に連結されるモーター１３とからなる換気ユニット７と、納骨室の外部に設置される太陽電池パネル８ａ，８ｂと、太陽電池パネル８ａ，８ｂを換気ユニット７に接続する配線９と、制御部を備え、太陽電池パネル８ｂは制御部によって動作を制御される蓄電池を内蔵している。【選択図】図３
2010112161.tif 000002
【特許請求の範囲】
【請求項１】
第一の換気孔を有する納骨室の壁面に設置される納骨室換気装置において、
前記第一の換気孔に設置される除湿ユニットと、
前記納骨室の外部に設置される太陽電池パネルとを備え、
前記除湿ユニットは、
第一の配線を介して前記太陽電池パネルに接続されるペルチェ素子と、
このペルチェ素子の放熱面に取り付けられる放熱板と，
両端に第一の開口部及び第二の開口部を有し，前記第一の開口部側の端部が前記納骨室内に突出するように前記第一の換気孔に挿設される円筒状の第一の取付具とからなり、
この第一の取付具は、
前記納骨室内に突出する側面の一部に通気口が設けられ、
前記ペルチェ素子は、
吸熱面が前記第一の開口部から露出するように、前記放熱板とともに前記第一の取付具内に設置されることを特徴とする納骨室換気装置。
【請求項２】
前記放熱板は、
側面視「へ」の字状をなすとともに、前記第一の取付具を平面視して前記第一の開口部に向かって拡開するように設置され、
前記通気口は、
前記放熱板の両端近傍にそれぞれ設けられることを特徴とする請求項１に記載の納骨室換気装置。
【請求項３】
前記除湿ユニットは、
第二の配線を介して前記太陽電池パネルに接続されるモーターと、
このモーターによって駆動されるファンとを備え、
このファン及び前記モーターは、
前記第一の取付具を側面視して前記第二の開口部と前記通気口との間に設置されることを特徴とする請求項１又は請求項２に記載の納骨室換気装置。
【請求項４】
前記納骨室の壁面に設けられた第二の換気孔に設置される換気ユニットを備え、
この換気ユニットは、
円筒状の第二の取付具と、
この第二の取付具とともに，前記第二の換気孔に設置されるファンと、
第三の配線を介して前記太陽電池パネルに接続されて前記ファンを駆動するモーターとからなることを特徴とする請求項１乃至請求項３のいずれか1項に記載の納骨室換気装置。
【請求項５】
前記換気ユニットは前記第二の換気孔に挿設され、
前記ファン及び前記モーターは、
前記第二の取付具の内部に挿入配置されることを特徴とする請求項４記載の納骨室換気装置。
【請求項６】
前記太陽電池パネルによって充電され，前記モーター及び前記ペルチェ素子に電力を供給する蓄電池と、
この蓄電池の動作を制御する制御部と、
前記太陽電池パネルの出力電圧を検出するセンサとを備え、
前記制御部は、
前記センサから前記太陽電池パネルの出力電圧が予め設定された値を下回ったことを示す検出信号を受けて前記蓄電池に指令信号を送り、
前記蓄電池は、
この指令信号に従って前記モーター及び前記ペルチェ素子に電力を供給することを特徴とする請求項１乃至請求項５のいずれか１項に記載の納骨室換気装置。
【発明の詳細な説明】
【技術分野】
【０００１】
本発明は、お墓の納骨室の除湿を行う納骨室換気装置に係り、特に、構造が簡単で安価であり、かつ、保守が容易な納骨室換気装置に関する。
【背景技術】
【０００２】
従来、お墓の納骨室は外気に触れ難く、湿気が篭り易いことから、カビや害虫が発生する温床となっていた。そのため、最近では、納骨室の壁面に換気孔が設けられることが多い。しかしながら、換気孔を利用した自然換気のみでは、依然として納骨室内を十分に換気できないという課題があった。そこで、このような課題を解決するものとして、換気機構を設けて納骨室の内部を強制的に換気する技術が注目されており、それに関して既に幾つかの発明や考案が既に開示されている。
【０００３】
例えば、特許文献１には、除湿効果を向上させるとともに、装置の構造の簡素低廉化と確実なファンユニットの動作の確保が可能な「納骨室換気システム」に関する発明が開示されている。
特許文献１に開示された発明は、納骨室に、逆止弁を有する吸排気ダクトと、太陽電池パネルや家庭用電源から電力の供給を受けて駆動する外気吸入型ファンユニットを設置したことを特徴としている。
このような構造によれば、新鮮で低湿度の外気を効率よく導入して納骨室の環境、雰囲気を良好な状態にすることが可能である。また、逆止弁を自重で閉止させることにより、ファンモータの運転によって確保された低湿度の環境を長時間維持することができる。
【０００４】
特許文献２には、換気を強制的に行って、納骨室内の除湿、除菌及び害虫駆除を可能とする「墓管理システム」に関する発明が開示されている。
特許文献２に開示された発明は、納骨室内に設けられたファンと、納骨室内の湿度に基づいてファンを駆動させる制御基板と、この制御基板を駆動制御するソーラバッテリー又は蓄電池と、納骨室内に自然光を取り入れ可能に設置された光ファイバを備えた構造となっている。
このような構造によれば、納骨室内の湿度が常に均一に調整される。従って、骨壷に水が溜まる心配がない。また、害虫等の発生や侵入を防止して、納骨室内を清潔な状態に保つことが可能である。
【先行技術文献】
【特許文献】
【０００５】
【特許文献１】特開平９−４９３４７号公報
【特許文献２】特開平８−４２１９２号公報
【発明の概要】
【発明が解決しようとする課題】
【０００６】
上述の従来技術である特許文献１に開示された発明においては、納骨室内に吸排気用のダクトやファンユニットを設置するための広いスペースを必要とする。また、曇天や雨天の際など太陽光の照射が弱く、充分な電力が得られない場合には、ダクト内の吸気や排気の流量が少なくなるため、逆止弁が自重によってダクトを閉止してしまい、納骨室内が換気されないという課題があった。さらに、本システムは納骨室内に設置される構造となっていることから、保守や点検の際には都度、納骨室を開けなければならず、メンテナンスの作業効率が悪いという課題があった。
【０００７】
また、特許文献２に開示された発明においては、納骨室内にファンや蓄電池等が設置される構造となっているため、手軽に保守や点検を行うことができないという課題があった。また、納骨室内の湿度を検出し、その検出結果に基づいてファンの動作を制御するように構成されていることから、構造が複雑になり、製造コストが高くなってしまうという課題があった。
【０００８】
本発明はかかる従来の事情に対処してなされたものであり、簡単な構造で安価に製造できるとともに、保守や点検を容易に行うことが可能な納骨室換気装置を提供することを目的とする。
【課題を解決するための手段】
【０００９】
上記目的を達成するため、請求項１記載の発明である納骨室換気装置は、第一の換気孔を有する納骨室の壁面に設置される納骨室換気装置において、第一の換気孔に設置される除湿ユニットと、納骨室の外部に設置される太陽電池パネルとを備え、除湿ユニットは、第一の配線を介して太陽電池パネルに接続されるペルチェ素子と、このペルチェ素子の放熱面に取り付けられる放熱板と，両端に第一の開口部及び第二の開口部を有し，第一の開口部側の端部が納骨室内に突出するように第一の換気孔に挿設される円筒状の第一の取付具とからなり、この第一の取付具は、納骨室内に突出する側面の一部に通気口が設けられ、ペルチェ素子は、吸熱面が第一の開口部から露出するように、放熱板とともに第一の取付具内に設置されることを特徴とするものである。
このような構造によれば、太陽電池パネルから電力が供給されて低温となったペルチェ素子の吸熱面に空気が接触した場合、その水分が凝縮して結露するという作用を有する。これにより、雨天時や夜間など太陽電池パネルによる発電がなされない場合を除き、納骨室内が強制的に除湿される。また、除湿ユニットの内部に空気の流れがある場合には、この空気の流れにより放熱板から熱が効率よく奪われてペルチェ素子の放熱面の放熱性が向上するという作用を有する。
【００１０】
請求項２に記載の発明は、請求項１に記載の納骨室換気装置において、放熱板は、側面視「へ」の字状をなすとともに、第一の取付具を平面視して第一の開口部に向かって拡開するように設置され、通気口は、放熱板の両端近傍にそれぞれ設けられることを特徴とするものである。
このような構造によれば、除湿ユニットの内部に空気の流れがある場合に、放熱板の近傍に達した空気が、放熱板によって整流され、通気口へと流れ易くなるという作用を有する。
【００１１】
請求項３に記載の発明は、請求項１又は請求項２に記載の納骨室換気装置において、除湿ユニットは、第二の配線を介して太陽電池パネルに接続されるモーターと、このモーターによって駆動されるファンとを備え、このファン及びモーターは、第一の取付具を側面視して第二の開口部と通気口との間に設置されることを特徴とするものである。
このような構造の納骨室換気装置においては、ファンの回転に伴って除湿ユニット内に強い空気の流れが発生するという作用を有する。
【００１２】
請求項４に記載の発明は、請求項１乃至請求項３のいずれか１項に記載の納骨室換気装置において、納骨室の壁面に設けられた第二の換気孔に設置される換気ユニットを備え、この換気ユニットは、円筒状の第二の取付具と、この第二の取付具とともに，第二の換気孔に設置されるファンと、第三の配線を介して太陽電池パネルに接続されてファンを駆動するモーターとからなることを特徴とするものである。
このような構造の納骨室換気装置においては、第二の換気孔に設置されたファンが太陽電池パネルから電力を供給されたモーターによって回転駆動されるため、雨天時や夜間など太陽電池パネルによる発電がなされない場合を除き、納骨室内の空気が外部へと強制的に排出されるという作用を有する。
【００１３】
請求項５に記載の発明は、請求項４に記載の納骨室換気装置において、換気ユニットは第二の換気孔に挿設され、ファン及びモーターは、第二の取付具の内部に挿入配置されることを特徴とするものである。
このような構造によれば、ファンとモーターが換気ユニットとして一体化されているため、第二の換気孔に対する装着が容易である。また、外部からファンの駆動状態を点検する際の作業性が向上する。さらに、ファンやモーターを修理する際には納骨室を開けることなく、第二の取付具ごと第二の換気孔から取り外してファンやモーターを取り扱うことができる。
【００１４】
請求項６に記載の発明は、請求項１乃至請求項５のいずれか１項に記載の納骨室換気装置において、太陽電池パネルによって充電され，モーター及びペルチェ素子に電力を供給する蓄電池と、この蓄電池の動作を制御する制御部と、太陽電池パネルの出力電圧を検出するセンサとを備え、制御部は、センサから太陽電池パネルの出力電圧が予め設定された値を下回ったことを示す検出信号を受けて蓄電池に指令信号を送り、記蓄電池は、この指令信号に従ってモーター及びペルチェ素子に電力を供給することを特徴とするものである。
このような構造の納骨室換気装置においては、曇天や雨天あるいは夜間など太陽電池パネルによる発電が十分になされない場合であっても、ファンやペルチェ素子が作動するため、納骨室内の換気と除湿が絶えず行われるという作用を有する。
【発明の効果】
【００１５】
請求項１に記載の納骨室換気装置においては、除湿ユニットが第一の換気孔に設置され、第一の配線が納骨室の内壁面に沿うように配置される構造となっているため、納骨室の内部を広く活用することができる。また、納骨室内の除湿を強制的に行って、カビや害虫の発生を防ぐことが可能である。さらに、除湿ユニットの構造が簡単であるため、故障が発生し難い。加えて、製造コストの削減を図ることも可能である。
【００１６】
請求項２に記載の納骨室換気装置によれば、除湿ユニット内の空気の流量を変えることなく、放熱板からの熱を効率よく奪ってペルチェ素子の放熱面の放熱性を向上させることができる。これにより、納骨室内の除湿効果が高まる。
【００１７】
請求項３に記載の納骨室換気装置によれば、納骨室内の除湿を請求項１又は請求項２に記載の発明よりもさらに効率よく行うことができる。
【００１８】
請求項４に記載の納骨室換気装置によれば、換気ユニット自体を外すことなく、ファンの回転状態を外部から目視確認することができる。すなわち、ファン駆動確認のための視認性が良いため、点検作業等の維持管理に要する費用が削減されると同時に換気ユニットの長寿命化を図ることが可能である。
【００１９】
請求項５に記載の納骨室換気装置においては、納骨室壁面に設けられた第二の換気孔に対して、換気ユニットを外側から挿入して所定の箇所に容易に配置することができる。従って、納骨室を開けずに、ファンやモーターの点検及び交換を行うことが可能である。すなわち、取り付け及び取り外しを行う際の作業性が良く、故障の点検・修理・交換が容易であるため、設置や撤去及び維持管理に要する費用が削減される。
【００２０】
請求項６に記載の納骨室換気装置によれば、天候や時間に関わらず、常に納骨室の内部を低湿度の状態に保つことができる。
【図面の簡単な説明】
【００２１】
【図１】（ａ）乃至（ｃ）はそれぞれ本発明の実施の形態に係る納骨室換気装置の実施例１が設置された和墓の背面図、側面図及び平面図である。
【図２】実施例１の納骨室換気装置の構成を示すブロック図である。
【図３】（ａ）及び（ｂ）はそれぞれ実施例１の納骨室換気装置の正面図及び側面図である。
【図４】（ａ）及び（ｂ）はそれぞれ図１（ｃ）のＸ−Ｘ線矢視断面の部分拡大図及び図１（ａ）のＹ−Ｙ線矢視断面図である。
【図５】（ａ）乃至（ｃ）はそれぞれ本発明の実施の形態に係る納骨室換気装置の実施例２が設置された和墓の背面図、側面図及び平面図である。
【図６】（ａ）及び（ｂ）はそれぞれ実施例２の納骨室換気装置の側面図及び図５（ｃ）のＸ−Ｘ線矢視断面の部分拡大図であり、（ｃ）は図６（ｂ）の変形例である。
【図７】（ａ）は本発明の実施の形態に係る納骨室換気装置の実施例３が設置された和墓の平面図であり、同図（ｂ）は本実施例の納骨室換気装置に係る除湿ユニットの側面図である。
【図８】（ａ）及び（ｂ）はそれぞれ実施例３の納骨室換気装置に係る除湿ユニットの正面図及び背面図であり、同図（ｃ）は図７（ｂ）のＺ−Ｚ線矢視断面図である。
【図９】実施例２の納骨室換気装置の構成を示すブロック図である。
【図１０】図７（ａ）のＸ−Ｘ線矢視断面の部分拡大図である。
【図１１】実施例３の納骨室換気装置に係る除湿ユニットの変形例を示す図である。
【図１２】（ａ）及び（ｂ）はそれぞれ本発明の実施の形態に係る納骨室換気装置の実施例４に係る除湿ユニットの側面図及び平面図である。
【発明を実施するための形態】
【００２２】
納骨室は遺骨を納めるために地下又は地上に設けられる中空箱型形状をなす空間であり、和墓、洋墓を問わずに設けられる。以下、地上に納骨室が設けられた和墓の場合を例にとって、本発明の実施の形態に係る納骨室換気装置の実施例について説明する。
【実施例１】
【００２３】
実施例１の納骨室換気装置について図１乃至図４を用いて説明する（特に、請求項４，５に対応）。
図１（ａ）乃至（ｃ）はそれぞれ本発明の実施の形態に係る納骨室換気装置の実施例１が設置された和墓の背面図、側面図及び平面図である。図２は実施例１の納骨室換気装置の構成を示すブロック図である。図３（ａ）及び（ｂ）はそれぞれ実施例１の納骨室換気装置の正面図及び側面図である。また、図４（ａ）及び（ｂ）はそれぞれ図１（ｃ）のＸ−Ｘ線矢視断面の部分拡大図及び図１（ａ）のＹ−Ｙ線矢視断面図である。なお、図３（ａ）及び（ｂ）においては、配線の一部と太陽電池パネルの図示を省略している。
【００２４】
図１（ａ）乃至（ｃ）に示すように、納骨室１は、棹石５の下に配置される根台石２と下台石３と笠石４によって囲まれる空間であり、下台石３の背面及び側面には、換気孔６ａ〜６ｃが穿設されている。
本実施例の納骨室換気装置は、換気孔６ａに挿設される換気ユニット７と、笠石４の上面に設置される太陽電池パネル８ａ，８ｂと、太陽電池パネル８ａ，８ｂをモーター１３（図２）に接続する配線９と、制御部１８（図２）と、センサ２０（図２）を備えている。また、センサ２０は、図２の矢印Ａで示すように太陽電池パネル８ａの出力電圧を検出し、制御部１８は、その検出結果に基づいて太陽電池パネル８ｂに内蔵される蓄電池１９の動作を制御している。具体的には、蓄電池１９は、太陽電池パネル８ａがモーター１３に電力を供給している間に、矢印Ｂで示すように太陽電池パネル８ｂによって充電され、センサ２０は太陽電池パネル８ａの出力電圧が設定値を下回ったことを検出すると、制御部１８に検出信号ａを送る。そして、検出信号ａを受け取った制御部１８は、蓄電池１９に指令信号ｂを送り、蓄電池１９は指令信号ｂに従って矢印Ｃで示すようにモーター１３に対して電力を供給する。
【００２５】
図３（ａ）及び（ｂ）に示すように、本実施例の納骨室換気装置を構成する換気ユニット７は、略円筒状をなす取付具１０と、この取付具１０の内部に開口部１０ｂの側から挿入配置されるファン１２及び，このファン１２に連結されるモーター１３を備えている。なお、配線９は、図示しないコネクタを介してモーター１３及び太陽電池パネル８ａ，８ｂとそれぞれ着脱自在に接続されている。また、配線９は耐熱性及び耐水性を有する合成樹脂で被覆されている。そして、太陽電池パネル８ａ，８ｂ及びモーター１３と配線９が上記コネクタによって接続される部分には、それぞれ防水加工が施されるとともに、点検や交換の際に換気ユニット７を換気孔６ａの内部から外側へ向かって容易に引き出せるように、予備長が形成されている。
【００２６】
取付具１０の一方の端部には、換気ユニット７を換気孔６ａに挿入した際に、換気孔６ａの端縁に係止するフランジ状の係止部１０ａが形成されるとともに、この係止部１０ａの略半分を覆う金属製又はプラスチック製の雨除けカバー１１ａが取り付けられている。雨除けカバー１１ａは１／４球殻状をなしており、１／２円弧状をなす端縁の一方は雨水が侵入する隙間が生じないように係止部１０ａの端縁に対して接合されている。この場合、取付具１０の円筒軸に対して垂直な方向に、雨除けカバー１１ａの開口部が形成される。すなわち、雨除けカバー１１ａは、通気性を確保しつつ、取付具１０の開口部１０ｂの一部を覆うように、取付具１０の端部に設置されている。
取付具１０の開口部１０ｂには、複数のルーバーを有する金属製又はプラスチック製の円板状の虫除けカバー１１ｂが嵌設されている。ルーバーは、角度を可変に取り付けられており、ルーバーによって形成される略短冊状の隙間の幅は、ルーバーの角度を変えることにより調節可能となっている。従って、外部から虫除けカバー１１ｂを介してファン１２の回転状態を視認することができ、換気ユニット７を外すことなく目視点検が可能となっている。もちろん、ファン１２による排気も手などをかざすことで感じることができるので、目視のみならず、体感による点検も可能である。
なお、図３（ｂ）には、モーター１３の詳細な構造を図示していないが、取付具１０の内壁面とモーター１３との間には、開口部１０ｃから開口部１０ｂに向かう矢印Ｄで示されるような空気の流れを阻害しないように、十分な大きさの隙間が形成されている。
【００２７】
図４（ａ）に示すように、上記構造の換気ユニット７を換気孔６ａに挿設し、配線９を介して前述の太陽電池パネル８ａ，８ｂ（図１（ｃ）参照）に接続すると、太陽電池パネル８ａから電力を供給されたモーター１３に駆動されてファン１２が回転する。その結果、矢印Ｄで示すように、納骨室１の内部の空気は換気孔６ａを通って外部へと排出される。それに伴い、換気孔６ｂ，６ｃを通って外部から納骨室１の内部に流入する空気の流れが発生する（図４（ｂ）の矢印Ｅ）。これにより、納骨室１の内部が強制的に換気される。
【００２８】
このように、太陽電池パネル８ａからモーター１３への電力の供給が十分な場合には、太陽電池パネル８ｂは内蔵の蓄電池１９を充電する。そして、曇天や雨天あるいは夜間など太陽電池パネル８ａによる発電が十分になされず、モーター１３に供給される電力が不足した場合には、前述したように蓄電池１９が制御部１８の指令に従ってモーター１３に対して電力を供給する。これにより、納骨室１の内部は、絶えず換気されることになる。
また、本実施例の納骨室換気装置においては、ファン１２とモーター１３が換気ユニット７として一体化されているため、換気孔６ａに対する装着が容易となっている。特に、換気ユニット７を換気孔６ａに対して外側から挿入する場合、取付具１０の係止部１０ａが換気孔６ａの端縁に係止するため、誤って換気ユニット７を納骨室１の内部に落下させてしまうおそれがない。なお、換気ユニット７を傾けた場合でもモーター１３が開口部１０ｃから外へ出ないように、取付具１０の開口部１０ｃはモーター１３よりも小さく形成されている。
さらに、換気孔６ａに換気ユニット７が挿設された状態において、雨除けカバー１１ａは、換気孔６ａへの雨水の流れ込みを防止し、虫除けカバー１１ｂは、換気孔６ａへの虫等の侵入を阻止するという作用を発揮する。従って、ファン１２やモーター１３が水に濡れてショートしたり、虫等が巻き込まれたりしてファン１２が故障するおそれがない。
【００２９】
以上説明したように、本実施例の納骨室換気装置においては、換気孔６ａに対して換気ユニット７を外側から挿入し、所定の箇所に容易に配置することができる。また、配線９が太陽電池パネル８ａ，８ｂ及び換気ユニット７に対してコネクタを介して着脱自在に接続されているため、太陽電池パネル８ａ，８ｂ及び換気ユニット７を容易に取り外すことができる。さらに、配線９とモーター１３との接続部分には予備長が形成されており、換気孔６ａに対して外側から挿入配置された換気ユニット７を、再度、換気孔６ａから外側へ向かって容易に引き出せるようになっているため、納骨室１を開けずに、換気ユニット７の設置や撤去及び点検を行うことができる。従って、作業性が良い。これにより、設置や撤去及び維持管理に伴う費用が削減される。また、納骨室１の内壁面に沿って配線９が設置される以外は、納骨室１の内部には実質的に何も設置されないため、納骨室１の内部を広く活用することができる。さらに、天候や時間に関わらず、納骨室１の内部を強制的に換気して、湿度を常に低い状態に保つことが可能である。これにより、カビや害虫の発生を防ぐことができる。加えて、装置の構造が簡単であるため、故障し難く、また、製造コストが削減される。
【００３０】
なお、本発明の納骨室換気装置は、本実施例に示す場合に限定されるものではない。例えば、太陽電池パネル８ａ，８ｂの個数や設置個所は図１（ｃ）及び図４（ｂ）に示す場合に限らず、適宜変更可能である。また、配線９を納骨室１の内壁面に沿って設置する代わりに、換気孔６ａから外部に引き出すようにして設置しても良い。この場合、納骨室換気装置を設置する際に、納骨室１を全く開ける必要がなくなり、設置や撤去あるいは維持管理を行う際の作業性や点検性が大幅に向上する。従って、換気ユニット７の長寿命化を図ることが可能である。さらに、係止部１０ａはフランジ状以外の形状であっても良い。加えて、雨除けカバー１１ａ及び虫除けカバー１１ｂの形状や材質は、本実施例に示すものに限らず、適宜変更可能である。例えば、虫除けカバー１１ｂは、網目状の部材であっても良い。また、換気ユニット７は、換気孔６ａの代わりに換気孔６ｂや換気孔６ｃに設置することもできる。
【実施例２】
【００３１】
次に、実施例２の納骨室換気装置について図５及び図６を用いて説明する。
図５（ａ）乃至（ｃ）はそれぞれ本発明の実施の形態に係る納骨室換気装置の実施例２が設置された和墓の背面図、側面図及び平面図である。図６（ａ）及び（ｂ）はそれぞれ実施例２の納骨室換気装置の側面図及び図５（ｃ）のＸ−Ｘ線矢視断面の拡大図であり、図６（ｃ）は図６（ｂ）の変形例である。なお、図６（ａ）及び（ｂ）は実施例１の図３（ｂ）及び図４（ａ）にそれぞれ対応する。
【００３２】
実施例１では、太陽電池パネル８ａ，８ｂが笠石４の上面に設置されているのに対し、図５（ａ）乃至（ｃ）に示すように本実施例では、笠石４の上面に配置された上台石１４の上面傾斜部１４ａに凹部（図示せず）が形成され、この凹部に太陽電池パネル８ａ，８ｂが上面を露出させた状態で設置されている。そして、上台石１４と太陽電池パネル８ａ，８ｂの間には、図示しない耐熱部材が設置されている。このように、納骨室１の上部に配置された石材に凹部を設けて、その内部に太陽電池パネル８ａ，８ｂを設置することによれば、太陽電池パネル８ａ，８ｂが人目に晒され難くなる。従って、周囲の美観を損ねるおそれがない。
【００３３】
また、図６（ａ）に示すように、本実施例の納骨室換気装置は、実施例１の納骨室換気装置において、モーター１３の側面に、薄板状のバネ材からなる装着具１５が取付具１０の内面を押圧可能に設置されるとともに、モーター１３の後部に、不織布からなるフィルター１１ｃが取付具１０の開口部１０ｄの全体を覆うように取り付けられたことを特徴とする。そして、このような構造によって、本実施例の納骨室換気装置では、ファン１２及びモーター１３が取付具１０に対して着脱可能となっている。なお、本実施例では実施例１の場合とは異なり、取付具１０の開口部１０ｄがモーター１３よりも大きく形成されている。
【００３４】
本実施例の納骨室換気装置においては、装着具１５が弾性変形するため、取付具１０に対するファン１２及びモーター１３の取り付け及び取り外しが容易である。また、弾性変形した装着具１５が取付具１０の内面を押圧することにより、ファン１２及びモーター１３が取付具１０に対して固定される。さらに、フィルター１１ｃによって、納骨室１の内部側から換気ユニット７の内部への虫やゴミ等の侵入が阻止される。さらに、図６（ｂ）に示すように、換気ユニット７を換気孔６ａに装着した場合、換気孔６ａの納骨室側の開口部の全体がフィルター１１ｃによって覆われる。これにより、納骨室１の内部に存在するゴミや虫等の換気ユニット７への侵入が阻止される。加えて、納骨室１から外部への臭気の漏出も防止される。
【００３５】
以上説明したように、本実施例の納骨室換気装置によれば、開口部１０ｄの側から取付具１０の内部にファン１２及びモーター１３を挿入するようにして、換気孔６ａに換気ユニット７を設置することができる。また、納骨室１の内部に存在するゴミや虫等の侵入に伴う故障を防ぐことができる。さらに、納骨室１の内部で悪臭が発生した場合でも、換気孔６ａから排出される空気の状態を清浄に保つことができる。なお、取付具１０の内部にファン１２及びモーター１３を挿入する際には、これらを取付具１０の開口部１０ｄと同形状の開口部を備えて着脱可能なスリーブ（図示せず）内に収納して、そのスリーブを取付具１０に装着するようにしてもよい。このようなスリーブを設けることで、納骨室１の壁面の厚みに応じてスリーブ長が調整可能となり、取付具１０を既存のものとしても容易にファン１２及びモーター１３を装着可能とすることができる。また、ファン１２やモーター１３を必ずしも取付具１０の内部に挿入する必要がないため、ファン１２やモーター１３のサイズに応じたスリーブ長とすることができる。従って、取扱性も向上させることができる。
【００３６】
なお、太陽電池パネル８ａ，８ｂを納骨室１の上部に配置された石材に凹部を設けて、その内部に太陽電池パネル８ａ，８ｂを設置する構造及び取付具１０の開口部１０ｄの全体を覆うようにフィルター１１ｃを設置する構造については、本実施例に限らず、実施例１においても同様に採用することができる。さらに、太陽電池パネル８ａ，８ｂを設置するための凹部の形成箇所は、上台石１４の上面傾斜部１４ａに限らず、適宜変更可能である。
また、図６（ａ）及び（ｂ）では、ファン１２及びモーター１３が取付具１０の内部に挿入配置されているが、本実施例の納骨室換気装置は、このような構造に限定されるものではない。すなわち、取付具１０の筒状部分の長さを換気孔６ａの長さよりも短くして、取付具１０と，ファン１２及びモーター１３とを換気孔６ａに対して別々に設置する構造としても良い。この場合、装着具１５は換気孔６ａの内面を押圧して、ファン１２とモーター１３を換気孔６ａに対して固定するように作用する。なお、装着具１５は必ずしも薄板状のバネ材でなくとも良く、例えば、ゴムやスポンジのような弾性部材であっても良い。
さらに、ファン１２及びモーター１３を換気孔６ａの内部に挿入配置する代わりに、図６（ｃ）に示すように、略円筒状の取付具１６の内部にファン１２及びモーター１３を収納するとともに、断面視略Ｌ字状の固定具１７を用いて、この取付具１６を納骨室１の内壁面に固定しても良い。なお、換気ユニット７を傾けた場合にモーター１３が外へ出ないように、取付具１６の開口部１６ｂはモーター１３よりも小さく形成されている。また、モーター１３の後方には、不織布からなるフィルター１１ｄが取付具１６の開口部１６ｂの全体を覆うように取り付けられている。そして、取付具１６の開口部１６ａ側の内壁面は、開口部１６ａに向かって徐々に狭くなるように形成して、ファン１２によって発生する風が集中して取付具１０に送風されるように工夫されている。このような構造によれば、既存の換気孔６ａが小さい場合でも、改造を加えずに所望の大きさのファン１２やモーター１３を設置することできる。従って、換気孔６ａの大きさに左右されることなく、所望の性能を備えたファン１２やモーター１３を使用することができる。なお、納骨室１の内壁面に対するファン１２やモーター１３の固定方法は図６（ｃ）に示す場合に限定されるものではなく、適宜変更可能である。また、モーター１３のみが納骨室１の内壁面に設置された構造とすることもできる。
加えて、ファン１２とモーター１３の位置関係は、実施例１又は実施例２に示す場合に限られない。例えば、実施例１又は実施例２において、納骨室１の内部に近い側にファン１２を設置しても良い。この場合、モーター１３が取付具１０の開口部１０ｂに近い側に設置されることになるため、モーター１３に接続された配線９を取付具１０の開口部１０ｂから外部へと引き出す際に、ファン１２が邪魔にならないというメリットがある。
【実施例３】
【００３７】
次に、実施例３の納骨室換気装置について図７乃至図１１を用いて説明する（特に、請求項１，３，６に対応）。
図７（ａ）は本発明の実施の形態に係る納骨室換気装置の実施例３が設置された和墓の平面図であり、図７（ｂ）は本実施例の納骨室換気装置に係る除湿ユニットの側面図である。図８（ａ）及び（ｂ）はそれぞれ実施例３の納骨室換気装置に係る除湿ユニットの正面図及び背面図であり、図８（ｃ）は図７（ｂ）のＺ−Ｚ線矢視断面図である。図９は実施例２の納骨室換気装置の構成を示すブロック図である。また、図１０は図７（ａ）のＸ−Ｘ線矢視断面の部分拡大図であり、図１１は実施例３の納骨室換気装置に係る除湿ユニットの変形例を示す図である。なお、図１乃至図６に示した構成要素については、同一の符号を付してその説明を省略する。
【００３８】
図７（ａ）に示すように、本実施例の納骨室換気装置は、実施例１の換気ユニット７に加えて、換気孔６ｂに挿設される除湿ユニット２１を備えたことを特徴とする。図７（ｂ）に示すように、除湿ユニット２１は、開口部１０ｃ付近の側面に通気口１０ｅ〜１０ｇが設けられた取付具１０と、櫛歯状の複数のフィンを有する放熱板２３が放熱面２２ｂに装着されたペルチェ素子２２と、一端が放熱部２３の側面に固定されるとともに，他端が開口部１０ｂに達するように取付具１０の軸方向に沿って延設される矩形状の支持板２４と、放熱板２３を取付具１０の内壁面に固定する固定板２５とからなる。なお、ペルチェ素子２２と放熱板２３は、開口部１０ｃと通気口１０ｅ〜１０ｇの間に設置されている。また、放熱板２２はフィンが略水平となるように設置されている。これにより、取付具１０内を流れて放熱板２２に達した空気は、フィンによって整流されるため、放熱板２２の左右に設けられた通気口１０ｅ，１０ｇへと流れ易くなる。
【００３９】
ペルチェ素子２２は取付具１０の軸方向に対して垂直に，かつ吸熱面２２ａが開口部１０ｃから露出するように配置され、配線９を介して太陽電池パネル８ａ，８ｂに接続されている。なお、「ペルチェ素子２２の吸熱面２２ａが取付具１０の開口部１０ｃから露出する」とは、「取付具１０の内部を開口部１０ｃ側から覗いたときに、ペルチェ素子２２の吸熱面２２が視認できる」という意味である。また、ペルチェ素子２２と配線９は図示しないコネクタで着脱可能に接続されており、その接続部分には、防水加工が施されている。そして、点検や交換の際に除湿ユニット２１を換気孔６ｂの内部から外側へ向かって容易に引き出せるように、予備長が形成されている。
支持板２４と固定具１０の内壁面との隙間によって構成される導水路２６の排水口２６ｂ近傍の係止部１０ａの一部には、半径方向に貫通孔１０ｈが設けられている。そして、導水路２６の他方の開口端付近の取付具１０の内壁面は、開口部１０ｃに向かって縮径して受水口２６ａを形成している。
【００４０】
図８（ａ）乃至（ｃ）に示すように、支持板２４は除湿ユニット２１を正面視して下方に設置され、貫通孔１０ｈは取付具１０の内部から下方に向けて係止部１０ａに穿設されている。また、放熱板２３は複数のフィン２３ａが略水平となるように取付具１０の内部に設置されている。そして、通気口１０ｅ〜１０ｇは取付具１０の側面の上部と左右にそれぞれ設けられている。さらに、取付具１０の内壁面に対する放熱板２３の側面の上部と左右の隙間は固定板２５によって遮蔽され、放熱板２３の側面下部に一端が固定される支持板２４と取付具１０の内壁面との隙間は前述したように導水路２６を形成している。なお、支持板２４と固定板２５は、木製や耐熱性を有する合成樹脂製の断熱部材からなり、放熱板２３側からペルチェ素子２２の吸熱面２２ａ側への熱移動を遮断するという作用を有している。
【００４１】
図９に示すように、太陽電池パネル８ａ，８ｂに日光が当たっている間、太陽電池パネル８ａは矢印Ａで示すようにモーター１３及びペルチェ素子２２に電力を供給し、矢印Ｂで示すように太陽電池パネル８ｂは蓄電池１９を充電する。そして、センサ２０は太陽電池パネル８ａの出力電圧が設定値を下回っていることを検出すると、制御部１８に検出信号ａを送り、制御部１８は蓄電池１９に指令信号ｂを送る。これにより、矢印Ｃで示すように蓄電池１９はモーター１３及びペルチェ素子２２に電力を供給する。
【００４２】
次に、除湿ユニット２１の動作について図１０を用いて説明する。
まず、取付具１０の開口部１０ｃが納骨室１側に位置するように、除湿ユニット２１を換気孔６ｂに挿設する。次に、ペルチェ素子２２に太陽電池パネル８ａ，８ｂから電力を供給すると、吸熱面２２ａから放熱面２２ｂに熱が移動し、吸熱面２２ａが冷却されるとともに、放熱面２２ｂに移動した熱は放熱板２３から除湿ユニット２１内の空気中に放出される。なお、本実施例の納骨室換気装置においては、換気孔６ａに挿設された換気ユニット７を作動させることにより、納骨室１の外部の空気が矢印Ｅで示すように取付具１０の開口部１０ｂから除湿ユニット２１内に流れ込み、放熱板２３から熱を奪った後、通気口１０ｅ〜１０ｇから納骨室１へと流出する。この空気の流れにより、放熱板２３からの放熱が促進され、ペルチェ素子２２の吸熱面２２ａの冷却が進む。その結果、吸熱面２２ａに接触する空気に含まれる水分は、凝縮して結露水となる。この結露水は、自重により吸熱面２２ａに沿って滴下し、矢印Ｆで示すように受水口２６ａを通って導水路２６内に流入する。そして、導水路２６内を流れる結露水は、矢印Ｇで示すように排水口２６ｂ及び虫除けカバー１１ｂの隙間を通って換気孔６ｂの外部へと流れ出し、さらに、貫通孔１０ｈを通って流下する。
【００４３】
以上説明したように、本実施例の納骨室換気装置においては、換気孔６ｂに対する除湿ユニット２１の取り付けや取り外しが容易である。従って、除湿ユニット２１の設置や撤去及び維持管理に伴う費用を安くすることができる。また、除湿ユニット２１が換気孔６ｂに設置される構造となっていることから、納骨室１の内部を広く活用することができる。さらに、換気ユニット７による換気に加え、除湿ユニット２１により納骨室１内の湿度を強制的に下げることで、カビや害虫の発生を実施例１の場合よりも一層確実に防止することが可能である。加えて、除湿ユニット２１は、構造が簡単であるため、故障し難い。また、安価に製造することができる。
【００４４】
なお、換気ユニット７や除湿ユニット２１の内部を流れる空気の向きは、本実施例に示す場合に限定されるものではない。すなわち、図７（ａ）において空気の流れが矢印Ｄ及び矢印Ｅと逆向きであったとしても、換気ユニット７や除湿ユニット２１の作用及び効果は本実施例の場合と同様に発揮される。また、除湿ユニット２１を換気孔６ｂではなく、換気孔６ｃに設置することもできる。さらに、支持板２４と取付具１０の内壁面とで導水路２６を形成する代わりに、漏斗状の受水口２６ａを有するパイプを導水路２６として用いても良い。この場合、取付具１０の側面の下部にも通気口を設けることができる。そして、支持板２４と取付具１０の側面との隙間が小さく、放熱板２３側から導水路２６側を経由してペルチェ素子２２の吸熱面２２ａ側へ移動する熱量が少ない場合には、支持板２４に銅などの熱伝導性の高い部材を用いることができる。この場合、支持板２４も放熱板として機能するため、ペルチェ素子２２による除湿効果がさらに高まる。
さらに、図１１に示すように、除湿ユニット２１の内部に、配線９を介して太陽電池パネル８ａ，８ｂから電力の供給を受けて作動するモーター１３と、このモーター１３によって駆動されるファン１２が設置された構造としても良い。このような構造によれば、ファン１２を回転させることで、除湿ユニット２１の内部に本実施例の場合よりも強い空気の流れ（矢印Ｅ）が発生する。これにより、放熱板２３からの放熱が本実施例の場合よりもさらに促進されるため、除湿ユニット２１による除湿効果を一層高めることができる。また、換気ユニット７の省略が可能であるため、製造コストの削減を図ることができる。
【実施例４】
【００４５】
実施例４の納骨室換気装置について図１２を用いて説明する（特に、請求項２に対応）。
図１２（ａ）及び（ｂ）はそれぞれ本発明の実施の形態に係る納骨室換気装置の実施例４に係る除湿ユニットの側面図及び平面図である。なお、図１乃至図１１に示した構成要素については、同一の符号を付してその説明を省略する。
図１２（ａ）及び（ｂ）に示すように、本実施例の納骨室換気装置は、実施例３において、取付具１０の軸方向に対して垂直に配置されるペルチェ素子２２及び放熱板２３に代えて、側面視「へ」の字状をなす放熱板２８と，この放熱板２８が放熱面２７ｂに装着されたペルチェ素子２７とを備え、取付具１０を平面視してペルチェ素子２７及び放熱板２８が開口部１０ｂから開口部１０ｃに向かって拡開するように支持板２４上に設置されたことを特徴とする。なお、取付具１０の内壁面に対する放熱板２８の側面の左右の隙間は固定板２５によって遮蔽され、取付具１０の内壁面に対する放熱板２８の側面の上部の隙間は放熱板２８の上部に覆設される略三角形状の断熱板２９と固定板２５によって遮蔽されている。また、放熱板２８はフィン２８ａが略水平となるように取付具１０の内部に設置されている。
【００４６】
このような構造の納骨室換気装置においては、取付具１０の開口部１０ｂから除湿ユニット２１内に流れ込んだ納骨室１の外部の空気が、放熱板２８に達した後、複数のフィン２８ａの整流作用により放熱板２８に沿って通気口１０ｅ，１０ｇまで移動するため、放熱板２８からの放熱が実施例３の場合よりもさらに促進される。従って、除湿ユニット２１による除湿効果を実施例３の場合よりも高めることが可能である。
【００４７】
なお、本実施例の場合にも実施例３の変形例（図１１参照）と同様に、除湿ユニット２１の内部に、配線９を介して太陽電池パネル８ａ，８ｂから電力の供給を受けて作動するモーター１３と、このモーター１３によって駆動されるファン１２が設置された構造とすることができる。
【産業上の利用可能性】
【００４８】
本発明の請求項１乃至請求項６に記載された発明は、和墓であるか、洋墓であるかに関わらず、また、納骨室が地上型及び地下型のいずれであっても適用可能である。
【符号の説明】
【００４９】
１…納骨室  ２…根台石  ３…下台石  ４…笠石  ５…棹石  ６ａ〜６ｃ…換気孔  ７…換気ユニット  ８ａ，８ｂ…太陽電池パネル  ９…配線  １０…取付具  １０ａ…係止部  １０ｂ〜１０ｄ…開口部  １０ｅ〜１０ｇ…通気口  １０ｈ…貫通孔  １１ａ…雨除けカバー  １１ｂ…虫除けカバー  １１ｃ，１１ｄ…フィルター  １２…ファン  １３…モーター  １４…上台石  １４ａ…上面傾斜部  １５…装着具  １６…取付具  １６ａ，１６ｂ…開口部  １７…固定具  １８…制御部  １９…蓄電池  ２０…センサ  ２１…除湿ユニット  ２２…ペルチェ素子  ２２ａ…吸熱面  ２２ｂ…放熱面  ２３…放熱板  ２３ａ…フィン  ２４…支持板  ２５…固定板  ２６…導水路  ２６ａ…受水口  ２６ｂ…排水口  ２７…ペルチェ素子  ２７ａ…吸熱面  ２７ｂ…放熱面  ２８…放熱板  ２８ａ…フィン  ２９…断熱版  ａ…検出信号  ｂ…指令信号
【図１】
2010112161.tif 000003
【図２】
2010112161.tif 000004
【図３】
2010112161.tif 000005
【図４】
2010112161.tif 000006
【図５】
2010112161.tif 000007
【図６】
2010112161.tif 000008
【図７】
2010112161.tif 000009
【図８】
2010112161.tif 000010
【図９】
2010112161.tif 000011
【図１０】
2010112161.tif 000012
【図１１】
2010112161.tif 000013
【図１２】
2010112161.tif 000014